(57)【要約】【課題】建物内への雨の降り込みを抑制する電動シャッタ制御装置を提供する。【解決手段】シャッタ装置１２は、建物１０の屋外側に設けられており、そのシャッタカーテン１４によって窓部１１が閉鎖されるようになっている。シャッタカーテン１４は、多数のスラット２０を上下に連結して構成されており、各スラット２０は各々角度調整可能となっている。ホームサーバ１６には、風情報検出装置１７、雨量センサ１８、気温センサ３９、施解錠センサ１９が接続されており、ホームサーバ１６はこれらの検出信号から降雨量、降雨時の気象条件（風向、風速）を逐次算出する。シャッタコントローラ１５は、ホームサーバ１６から降雨量、降雨時の気象条件を取得し、これらの情報に基づいて雨の建物１０内への降り込みを抑制すべくスラット２０の角度を制御する。【選択図】図１
2008280737.tif 000002
【特許請求の範囲】
【請求項１】
建物の開口部を開閉するシャッタカーテンを有する電動シャッタ装置の制御装置であって、
屋外の降雨情報を取得する降雨情報取得手段と、
前記降雨情報取得手段により取得された降雨情報に基づいて、前記開口部から建物内への雨の降り込みを抑制すべく前記シャッタカーテンの開度を制御する制御手段と、
を備えたことを特徴とする電動シャッタ制御装置。
【請求項２】
前記制御手段は、前記降雨情報から判断される降雨量が多いほど前記シャッタカーテンを閉側に制御するものである請求項１に記載の電動シャッタ制御装置。
【請求項３】
屋外の風速情報を取得する風速情報取得手段を更に備え、
前記制御手段は、前記風速情報取得手段により取得された風速情報に基づいて、前記開口部から建物内への雨の降り込みを抑制すべく前記シャッタカーテンの開度を制御する請求項１又は２に記載の電動シャッタ制御装置。
【請求項４】
前記制御手段は、前記風速情報から判断される風速が大きいほど前記シャッタカーテンを閉側に制御するものである請求項３に記載の電動シャッタ制御装置。
【請求項５】
前記制御手段は、前記風速情報から判断される風速が予め定めた値を超えた場合に前記シャッタカーテンを閉鎖するよう制御するものである請求項３又は４に記載の電動シャッタ装置。
【請求項６】
屋外の風向情報を取得する風向情報取得手段を更に備え、
前記制御手段は、前記風向情報取得手段により取得された風向情報に基づいて、風向が前記シャッタカーテンへ向いた成分を有する場合に前記シャッタカーテンの開度を閉側に制御する請求項１乃至５のいずれかに記載の電動シャッタ制御装置。
【請求項７】
前記シャッタカーテンによる開閉対象である開口部に配置される窓サッシの開閉情報を取得する開閉情報取得手段を更に備え、
前記制御手段は、前記開閉情報取得手段により取得された開閉情報に基づいて、前記窓サッシが開状態である場合に前記制御を実行する請求項１乃至６のいずれかに記載の電動シャッタ制御装置。
【請求項８】
前記降雨情報取得手段は、前記シャッタカーテンよりも屋内側に配置されて雨を検知する雨検知手段から前記降雨情報を取得するものであり、
前記制御手段は、当該降雨情報により降雨があると判断された場合に前記シャッタカーテンの開度を閉側に制御する請求項１乃至７のいずれかに記載の電動シャッタ装置。
【請求項９】
前記開口部近傍の屋外側に人がいるか否かを検知する人検知手段、及び前記人検知手段により検知された人が予め定めた特定人であるか否かを検知する特定人検知手段を更に備え、
前記制御手段は、前記人検知手段により人が検知されかつ前記特定人検知手段による検知結果が特定人でない場合には、前記シャッタカーテンを閉鎖するよう制御するものである請求項１乃至８のいずれかに記載の電動シャッタ装置。
【請求項１０】
複数のスラットが上下方向に連結されかつ各スラットの角度調整が可能とされたシャッタカーテンを有する電動シャッタ装置に適用され、
前記制御手段は、前記シャッタカーテンの開度制御として前記スラットの角度制御を行うものである請求項１乃至９のいずれかに記載の電動シャッタ制御装置。
【請求項１１】
建物本体に形成されて屋内外を連通させる開口部と、その開口部に設置された窓サッシと、その窓サッシより屋外側に設置された電動シャッタ装置と、その電動シャッタ装置を制御する請求項１乃至１０のいずれかに記載の電動シャッタ制御装置と、を備えることを特徴とする建物。
【発明の詳細な説明】
【技術分野】
【０００１】
本発明は、電動シャッタ制御装置、及びそれを備えた建物に関する。
【背景技術】
【０００２】
窓部に開閉式の窓サッシを備えた建物において、窓サッシよりも屋外側に電動シャッタ装置を設置し、その電動シャッタ装置のシャッタカーテンを開閉制御する技術が知られている。例えば、特許文献１に記載の電動シャッタ制御装置では、太陽光の強弱に基づいてシャッタカーテンを開閉することにより、夜間におけるシャッタカーテンの閉め忘れを防止している。
【特許文献１】実開平２−５３４９３号公報
【発明の開示】
【発明が解決しようとする課題】
【０００３】
しかしながら、特許文献１に記載の電動シャッタ制御装置では、昼間においてシャッタカーテンが開状態になる。この状態で、建物内の温度調整や換気のために窓サッシを開放していると、降雨によって建物内に雨が降り込むおそれがある。
【０００４】
本発明は、建物内への雨の降り込みを抑制する電動シャッタ制御装置、及びそれを備えた建物を提供することを主たる目的とするものである。
【課題を解決するための手段】
【０００５】
本発明は、上記課題を解決するために、以下の手段を採用した。
【０００６】
第１の発明では、建物の開口部を閉鎖するシャッタカーテンを有する電動シャッタ装置について、シャッタカーテンの開度を制御する。そのために、屋外の降雨情報を取得する降雨情報取得手段と、降雨情報取得手段により取得された降雨情報に基づいて、建物の開口部から建物内への雨の降り込みを抑制すべくシャッタカーテンの開度を制御する制御手段とを備える。ここで降雨情報には、降雨の有無以外にも降雨量の程度も含まれる。
【０００７】
第１の発明によると、降雨情報に基づいてシャッタカーテンの開度を制御することにより、次のとおり雨の降り込みを抑制することができる。すなわち、一般に降雨量が大きいほど、雨が建物内に降り込む蓋然性は高くなる。これに対し、第１の発明では、例えば降雨情報として降雨量を用いることにより、降雨量が大きいほどシャッタカーテンを閉側に制御することができる。これにより、雨の建物内への降り込みを抑制することができる。
【０００８】
第２の発明では、制御手段は、上記降雨情報から判断される降雨量が多いほどシャッタカーテンを閉側に制御する。上述したように降雨量が多いほど雨が建物内に降り込む蓋然性は高くなるため、降雨量が多いほどシャッタカーテンを閉側に制御することにより、雨の建物内への降り込みを抑制することができる。
【０００９】
第３の発明は、屋外の風速情報を取得する風速情報取得手段を更に備える。そして、制御手段は、風速情報取得手段により取得された風速情報に基づいて、建物の開口部から建物内への雨の降り込みを抑制すべくシャッタカーテンの開度を制御する。
【００１０】
一般に降雨時の風速が大きいほど、雨が風に流されて建物に吹き付ける結果となる。これにより、雨が建物内に降り込む蓋然性が高くなる。これに対して、第３の発明では、風速情報を利用してシャッタカーテンの開度を制御する。これにより、例えば第４の発明のように風速情報から判断される風速が大きいほどシャッタカーテンを閉側に制御することで、雨の建物内への降り込みを抑制することができる。
【００１１】
ここで、暴風時には、建物の開口部に配置された窓サッシ等が風によって飛散する飛散物により傷つくおそれがある。そこで、第５の発明では、制御手段は、上記風速情報から判断される風速が予め定めた値を超えた場合にシャッタカーテンを閉鎖するよう制御する。これにより、飛散物から窓サッシ等を保護し、飛散物により窓サッシ等が傷つくことを防止することができる。
【００１２】
第６の発明は、屋外の風向情報を取得する風向情報取得手段を更に備える。そして、制御手段は、風向情報取得手段により取得された風向情報に基づいて、風向がシャッタカーテンへ向いた成分を有する場合にシャッタカーテンの開度を閉側に制御する。
【００１３】
一般にシャッタカーテンに風が吹き付けていると、そのシャッタカーテンには雨が吹き付けられる。その結果、雨がシャッタカーテンを通って建物内に降り込む蓋然性が高くなる。これに対して、第６の発明では、風向がシャッタカーテンへ向いた成分を有する場合にシャッタカーテンの開度を閉側に制御することにより、雨の建物内への降り込みを抑制することができる。
【００１４】
第７の発明は、シャッタカーテンによる開閉対象である開口部に配置される窓サッシの開閉情報を取得する開閉情報取得手段を更に備える。そして、制御手段は、開閉情報取得手段により取得された開閉情報に基づいて、窓サッシが開状態である場合に上述した開度制御を実行する。これにより、窓サッシが開状態であるため雨が建物内に降り込むおそれがある場合には、上述した開度制御により雨の建物内への降り込みを抑制することができる。なお、窓サッシが閉状態であるため雨が建物内に降り込むおそれがない場合には、例えば屋内環境を良好に保つべくシャッタカーテンの開度を制御することができる。
【００１５】
第８の発明では、降雨情報取得手段は、シャッタカーテンよりも屋内側に配置されて雨を検知する雨検知手段から降雨情報を取得し、制御手段は、その降雨情報により降雨があると判断された場合にシャッタカーテンを閉側に制御する。第８の発明によると、実際にシャッタカーテンよりも屋内側に降り込んだ雨が検知されると、シャッタカーテンの開度が閉側に制御される。これにより、雨の建物内への降り込みを確実に抑制することができる。
【００１６】
なお、雨検知手段はシャッタカーテンの最下部近傍に配置することが望ましい。また、建物の開口部に窓サッシが配置されている場合には、雨検知手段は窓サッシよりも屋外側に配置されることが望ましい。雨が建物に吹き付ける蓋然性は建物の下方ほど高い。したがって、シャッタカーテンの最下部近傍に雨検出手段を配置することにより、シャッタカーテンよりも屋内側に降り込んだ雨を確実に検知することができる。また、窓サッシよりも屋内側に雨検知手段を配置することにより、実際に雨が建物内に降り込む前にシャッタカーテンの開度を閉側に制御することで未然に雨の降り込みを抑制することができる。
【００１７】
第９の発明は、建物の開口部近傍の屋外側に人がいるか否かを検知する人検知手段、及び人検知手段により検知された人が予め定めた特定人であるか否かを検知する特定人検知手段を更に備える。そして、制御手段は、人検知手段により人が検知されかつ特定人検知手段による検知結果が特定人でない場合には、シャッタカーテンを閉鎖するよう制御する。こうして特定人でない人（不審者）が建物の開口部近傍にいる場合にシャッタカーテンを閉鎖することにより、不審者の建物内への侵入を防ぐことができる。
【００１８】
第１０の発明は、複数のスラットが上下方向に連結されかつ各スラットの角度調整が可能とされたシャッタカーテンを有する電動シャッタ装置を制御対象とする。そして、制御手段は、シャッタカーテンの開度制御としてスラットの角度制御を行う。
【発明を実施するための最良の形態】
【００１９】
以下、本発明を具体化した複数の実施形態を図面に基づいて説明する。各実施形態において同一の符号が付された構成要素は、その符号が付された他の実施形態の構成要素と対応する。
【００２０】
（第１実施形態）
第１実施形態では、建物の窓部の屋外側に電動式のシャッタ装置を設け、このシャッタ装置を制御することで雨の建物内への降り込みを抑制するようになっている。図１は、シャッタ装置を設けた建物の概略構成を示す図である。
【００２１】
図１において、建物１０には窓部１１が複数設けられており、各窓部１１の屋外側にはシャッタ装置１２がそれぞれ設けられている。窓部１１には、引き違い式の窓サッシが配置されており、窓サッシにはガラス板が設けられている。一方、シャッタ装置１２は、窓部１１の上方に取り付けられた横長箱状のシャッタケース１３、このシャッタケース１３内に巻かれた状態で収納されるスラット式のシャッタカーテン１４などで構成されている。シャッタカーテン１４がシャッタケース１３から引き出される（降下する）ことにより窓部１１が閉鎖され、シャッタカーテン１４がシャッタケース１３内に巻き取られる（上昇する）ことにより窓部１１が開放されるようになっている。
【００２２】
シャッタ装置１２にはシャッタコントローラ１５が接続されている。このシャッタコントローラ１５は、建物１０内に設置されたホームサーバ１６に接続されている。また、ホームサーバ１６には、シャッタコントローラ１５の他に、風情報検出装置１７、雨量センサ１８、気温センサ３９、施解錠センサ１９などが接続されている。
【００２３】
風情報検出装置１７、雨量センサ１８及び気温センサ３９は、例えば屋根３７に設置されている。風情報検出装置１７には、風速センサ及び風向センサが内蔵されており、それらのセンサから風速及び風向を示す検出信号を出力する。雨量センサ１８は降雨量を示す検出信号を出力し、気温センサ３９は屋外気温を示す検出信号を出力する。施解錠センサ１９は、例えば窓部１１の窓サッシに設けられたクレセント錠に内蔵されており、同クレセント錠の施解錠を示す検出信号を無線により出力する。
【００２４】
ホームサーバ１６は、上述した各種センサの検出信号に基づいて、風速、風向、降雨量、屋外気温を算出したり、クレセント錠の施解錠を判定したりすると共に、これらの情報を建物１０に関する各種装置（シャッタコントローラ１５など）に対して提供する。
【００２５】
次に、図２に基づいて、シャッタ装置１２の構成を詳細に説明する。なお、図２では、説明の便宜上、シャッタ装置１２の左右両端に設けられるガイドレールやシャッタケース１３の図示を省略している。
【００２６】
シャッタカーテン１４は、多数のスラット２０を上下（スラット２０の短手方向）に連結して構成されている。上下に隣り合うスラット２０の一部は、互いに係合されている。これにより、多数のスラット２０は一体となっている。スラット２０間を係合する構成は周知であるため、ここでは図示による説明を省略する。
【００２７】
各スラット２０のうち最上部のスラットには巻取ドラム２１が連結されており、巻取ドラム２１にはドラム駆動部２２が連結されている。ドラム駆動部２２は電動モータなどから構成されており、巻取ドラム２１がドラム駆動部２２によって正逆いずれかの方向に回転駆動されることにより、シャッタカーテン１４（多数の連結されたスラット２０）が巻き取り又は引き出される。
【００２８】
シャッタカーテン１４の側方には、各スラット２０の角度（以下「スラット角度」という）を調整するための開閉ガイド機２３が設けられている。開閉ガイド機２３は、各スラット２０の一部にそれぞれ係合可能な係合リンク部２４を有しており、係合リンク部２４によってスラット角度が調整可能となっている。ここで、スラット角度の調整がなされていない場合、すなわち各スラット２０が鉛直方向に立っている場合には、係合リンク部２４は各スラット２０に係合せず、スラット角度の調整がなされている場合には、係合リンク部２４が各スラット２０に係合してそれらの傾斜角度を変更する構成となっている。そして、電動モータ等からなるスラット駆動部２５によって開閉ガイド機２３が駆動されることにより、各スラット２０が一斉に任意角度に調整されるようになっている。ドラム駆動部２２及びスラット駆動部２５は、上記シャッタコントローラ１５に接続されている。
【００２９】
図３は、スラット角度について説明するための図である。図３では、各スラット２０が鉛直方向に立った状態を基準にして、同スラット２０を図の時計回り方向に回動させた場合のスラット角度をθsとしている。また、図３において、スラット２０の左側を屋外側とし、スラット２０の右側を屋内側としている。また、（ａ）はスラット角度θsを０°に調整した状態（全閉状態）を示し、（ｂ）はスラット角度θsを４５°に調整した状態（半開状態）を示し、（ｃ）はスラット角度θsを−４５°に調整した状態を示し、（ｄ）はスラット角度θsを９０°に調整した状態（全開状態）を示している。
【００３０】
次に、図４に基づいて、シャッタ装置１２に関する制御システムの概要を説明する。
【００３１】
ホームサーバ１６は、風情報検出装置１７の風向センサ３０及び風速センサ３１や雨量センサ１８や気温センサ３９や施解錠センサ１９の検出信号に基づいて、それぞれ風向、風速、降雨量、屋外気温、クレセント錠の施解錠を逐次算出する。
【００３２】
シャッタコントローラ１５は、制御部３２、記憶部３３、操作部３４などで構成されている。操作部３４は、操作子（ボタンやスイッチなど）を有しており、マニュアルモード及びオートモードの切替操作を受け付けたり、マニュアルモードにおいてシャッタカーテン１４の昇降やスラット角度の調整に関するマニュアル操作を受け付けたりする。記憶部３３には、シャッタ装置１２の制御に用いられる情報（各種パラメータ、各種マップなど）が記憶されている。ここで、マニュアルモードとは、建物１０の関係者（居住者、使用者など）の指示に応じてシャッタ装置１２を制御するモードであり、オートモードとは、気象条件などに基づいてシャッタ装置１２を制御するモードである。
【００３３】
制御部３２は、シャッタ装置１２の制御に要する情報（風速、風向、降雨量、屋外気温、クレセント錠の施解錠など）をホームサーバ１６に対して問い合わせる。そして、制御部３２は、記憶部３３に記憶されている情報やホームサーバ１６から得た情報に基づいて、シャッタ装置１２を制御する。詳しくは、制御部３２には、シャッタ装置１２のドラム駆動部２２及びスラット駆動部２５が接続されており、制御部３２はこれらの駆動部に駆動制御信号を出力する。これにより、シャッタカーテン１４の昇降量やスラット角度が調整される。上記風速、風向、降雨量、屋外気温がそれぞれ「風速情報」、「風向情報」、「降雨情報」、「気温情報」に相当する。
【００３４】
ところで、降雨の態様は降雨時の気象条件によって異なる。したがって、降雨時の気象条件に応じてシャッタ装置１２を制御することにより、雨の建物１０内への降り込みを効果的に抑制することができる。以下、各気象条件（降雨量／風向／風速）の違いに対する降雨態様の変化を説明した後に、各気象条件におけるスラット角度の制御について説明する。これらの説明では、シャッタ装置１２のシャッタカーテン１４は完全に降下しており、建物１０の窓部１１の窓サッシは開状態であるものとする。
【００３５】
雨の建物１０内への降り込みやすさ（雨が建物１０内に降り込む蓋然性）は、その時の降雨量が多いほど高くなる。図５及び図６は、風向の違いに対する降雨態様の変化を示す図である。図５において（ａ）は西風が吹いている時の降雨態様を示し、（ｂ）は北風が吹いている時の降雨態様を示している。また、図５では、東西の側壁に窓部１１が設けられていることを想定している。また図６では、シャッタ装置１２の受風角度を次のとおり規定している。すなわち、完全に降下させたシャッタカーテン１４のシャッタ面に対して垂直な方向であって屋外側に向かう方向をシャッタ装置１２の取付方位とし、その取付方位と風向とがなす角度を受風角度θwと規定している。
【００３６】
図５（ａ）によると、西風が吹いている場合には、雨は西から東に流される。その結果、窓部１１の窓サッシが開状態の場合には、西側のシャッタ装置１２のシャッタカーテン１４を通って雨が建物１０内に降り込む蓋然性が高く、東側のシャッタ装置１２のシャッタカーテン１４を通って雨が建物１０内に降り込む蓋然性は低くなる。一方、図５（ｂ）によると、北風が吹いている場合には、雨は北から南に流される。その結果、窓部１１の窓サッシが開状態であったとしても、西側のシャッタ装置１２のシャッタカーテン１４を通って雨が建物１０内に降り込む蓋然性、及び東側のシャッタ装置１２のシャッタカーテン１４を通って雨が建物１０内に降り込む蓋然性はいずれも低くなる。このように、シャッタ装置１２の受風角度によって、同シャッタ装置１２のシャッタカーテン１４を通って雨が建物１０内に降り込む蓋然性が異なる。
【００３７】
詳しくは、図６によると、風向がシャッタカーテン１４へ向かう成分を有する場合、具体的には上記受風角度θwが９０°よりも大きい場合には、雨が建物１０内に降り込む蓋然性は高い（図６（ａ）参照）。一方、風向がシャッタカーテン１４へ向かう成分を有していない場合、具体的には上記受風角度θwが９０°以下の場合には、雨が建物１０内に降り込む蓋然性は低い（図６（ｂ）参照）。
【００３８】
図７は、風速の違いに対する降雨態様の変化を示す図である。図７において（ａ）は無風時の降雨態様を示し、（ｂ）は弱風時の降雨態様を示し、（ｃ）は強風時の降雨態様を示している。なお、図７の（ａ）〜（ｃ）では、雨の降下軌跡を破線で示しており、風速以外の気象条件が等しいことを想定している。図７によると、風速が大きいほど雨の降下角度（雨の降下軌跡が水平面に対してなす角度）が０°に近づくことが分かる。また、台風などの強風時には雨が舞い上がることもある。その結果、シャッタ装置１２の上述した受風角度θwが９０°よりも大きい場合（同シャッタ装置１２のシャッタカーテン１４に対して風が吹き付けている場合）には、風速が大きくなるほど雨が建物１０内に降り込む蓋然性は高くなる。
【００３９】
そこで、本実施形態では、窓部１１の窓サッシが開状態である場合において次のとおりシャッタ装置１２を制御するようにしている。第１に、降雨量が多いほどスラット２０を閉側に制御する。第２に、上記受風角度θwが９０°〜１８０°の場合には、風速が大きいほどスラット２０を閉側に制御し、上記受風角度θwが９０°以下の場合には、風速によらずスラット２０を制御する。詳しくは、スラット角度のベース値を９０°とし、このベース値に上記気象条件に応じた補正係数を掛け合わせることにより、スラット角度の目標値（以下「目標スラット角度」という）を算出する。そして、実際のスラット角度を目標スラット角度に制御する。
【００４０】
次に、図８に基づいて、目標スラット角度算出処理を説明する。この処理は、図８に示す目標スラット角度設定プログラムがシャッタコントローラ１５により所定のタイミングで逐次実行されることにより実施される。なお、上述したようにスラット角度は−９０°〜＋９０°の範囲内で角度の調整が可能となっている。しかしながら、スラット角度を負の角度にすると雨が降り込みやすくなるため（図３（ｃ）参照）、図８に示す目標スラット角度算出処理では、目標スラット角度を０°〜９０°の範囲内の角度に設定するようにしている。
【００４１】
図８において、まずステップＳ１０では、シャッタコントローラ１５は窓部１１の窓サッシが開状態か否かを判定する。詳しくは、シャッタコントローラ１５は、窓サッシのクレセント錠の施解錠をホームサーバ１６に問い合わせる。そして、クレセント錠が解錠状態である場合には、窓部１１の窓サッシが開状態である旨を判定し、クレセント錠の施錠状態である場合には、シャッタコントローラ１５は窓部１１の窓サッシが閉状態である旨を判定する。
【００４２】
そして、シャッタコントローラ１５は、ステップＳ１０で窓部１１の窓サッシが開状態である旨を判定した場合には、ステップＳ１１〜Ｓ１６の処理を実行することによりスラット角度のベース値に対する補正係数を設定する。
【００４３】
すなわち、ステップＳ１１では、シャッタコントローラ１５は降雨量補正係数Ｒfを設定する。詳しくは、ホームサーバ１６から降雨量を取得し、その降雨量に基づいて降雨量補正係数Ｒfを設定する。具体的には、降雨量Ｆと降雨量補正係数Ｒfとを関連付けるテーブルを用いて、ホームサーバ１６から取得した降雨量に対応する降雨量補正係数Ｒfを設定する。より具体的には、例えば図９（ａ）に示すテーブルを用いて、降雨量Ｆが０mm/hである場合にはＲfを１とし、降雨量Ｆが０mm/hより多く１０mm/h以下である場合にはＲfを２／３とし、降雨量Ｆが１０mm/hよりも多い場合にはＲfを１／３とする。なお、このテーブルは、シャッタコントローラ１５の記憶部３３に記憶しておけばよい。
【００４４】
次に、ステップＳ１２では、シャッタコントローラ１５はシャッタ装置１２の受風角度θwを算出する。詳しくは、ホームサーバ１６から風向を取得する。そして、取得した風向とシャッタ装置１２の取付方位とに基づいて、同シャッタ装置１２の受風角度θwを算出する。シャッタ装置１２の取付方位はシャッタコントローラ１５の記憶部３３やホームサーバ１６に記憶しておけばよい。
【００４５】
次に、ステップＳ１３では、シャッタコントローラ１５は、シャッタ装置１２の受風角度θwが９０°よりも大きいか否かを判定する。
【００４６】
そして、受風角度θwが９０°よりも大きい旨を判定した場合には、シャッタコントローラ１５は、ホームサーバ１６から風速を取得し、その風速に基づいて風速補正係数Ｒwを設定する（ステップＳ１４参照）。具体的には、風速Ｗと風速補正係数Ｒwとを関連付けるテーブルを用いて、ホームサーバ１６から取得した風速に対応する風速補正係数Ｒwを設定する。より具体的には、例えば図９（ｂ）に示すテーブルを用いて、風速Ｗが１m/sよりも小さい場合にはＲwを１とし、風速Ｗが１m/s以上５m/s以下である場合にはＲwを１／２とし、風速Ｗが５m/sよりも大きい場合にはＲwを１／６とする。なお、このテーブルは、シャッタコントローラ１５の記憶部３３に記憶しておけばよい。
【００４７】
一方、受風角度θwが９０°以下である旨を判定した場合には、シャッタコントローラ１５は、風速補正係数Ｒwを１に設定する（ステップＳ１５参照）。そして、ステップＳ１４又はステップＳ１５で風速補正係数Ｒwを設定した後に、気温補正係数Ｒtを１に設定する（ステップＳ１６参照）。
【００４８】
これに対して、ステップＳ１０で窓部１１の窓サッシが閉状態である旨を判定した場合には、シャッタコントローラ１５は、ステップＳ１７，Ｓ１８の処理を実行することによりスラット角度のベース値に対する補正係数を設定する。すなわち、ステップＳ１７では、シャッタコントローラ１５は、降雨量補正係数Ｒfを１とし、風速補正係数Ｒwを１とする。続くステップＳ１８では、シャッタコントローラ１５は、気温補正係数Ｒtを設定する。詳しくは、ホームサーバ１６から屋外気温を取得し、その屋外気温に基づいて気温補正係数Ｒtを設定する。具体的には、気温Ｔと気温補正係数Ｒtとを関連付けるテーブルを用いて、ホームサーバ１６から取得した屋外気温に対応する気温補正係数Ｒtを設定する。より具体的には、例えば図９（ｃ）に示すテーブルを用いて、屋外気温Ｔが１５℃以下である場合にはＲtを１とし、屋外気温Ｔが１５℃よりも高い場合にはＲtを１／２とする。なお、このテーブルは、シャッタコントローラ１５の記憶部３３に記憶しておけばよい。
【００４９】
このようにして補正係数を設定した後、シャッタコントローラ１５は、スラット角度のベース値（９０°）に設定した補正係数を掛け合わせることにより、スラット角度の目標値を算出する（ステップＳ１９参照）。そして、今回のプログラムの実行を終了する。この目標スラット角度設定処理によると、窓部１１の窓サッシが開状態である場合には、降雨量が多くなるほど小さな降雨量補正係数Ｒfが設定され、結果として目標スラット角度は小さくなる。これにより、降雨量が多くなるほど、スラット角度が閉側に制御される。
【００５０】
また、窓部１１の窓サッシが開状態である場合には、シャッタ装置１２の受風角度θwが９０°以上のとき（同シャッタ装置１２に風が吹き付けていると推定されるとき）、風速が大きくなるほど小さな風速補正係数Ｒwが設定され、結果として目標スラット角度は小さくなる。これにより、風速が大きくなるほど、スラット角度が閉側に制御される。
【００５１】
これに対して、窓部１１の窓サッシが閉状態である場合には、降雨量補正係数Ｒf及び風速補正係数Ｒwが１に設定される。また、屋外気温が１５℃以下になると、気温補正係数Ｒtが１に設定され、スラット角度が９０°（全閉角度）に制御される。一方、屋外気温が１５℃よりも高くなると、気温補正係数Ｒtが１／２に設定され、スラット角度が４５°（半開角度）に制御される。
【００５２】
以上の構成により、以下に示す有利な効果が得られる。
【００５３】
窓部１１の窓サッシが開状態である場合において、降雨時の気象条件（降雨量、風向、風速）に応じてスラット角度を制御するようにした。具体的には、降雨量が多くなるほど、スラット角度を閉側に制御するようにした。また、風がシャッタ装置１２に吹き付けていると推定される場合において風速が大きくなるほど、スラット角度を閉側に制御するようにした。これにより、降雨時に窓部１１の窓サッシを閉め忘れたとしても、雨の建物１０内への降り込みを抑制することができる。また、雨が降り止めば、採光や換気を再開することができる。
【００５４】
また、スラット角度を全開角度又は全閉角度の２段階に制御するのではなく、降雨時の気象条件に応じてスラット角度を多段階（５°／１５°／３０°／４５°／６０°／９０°）に制御するようにした。これにより、屋内環境の悪化を抑制しつつ、雨の建物１０内への降り込みを抑制することができる。具体的には、採光や換気をしながら、雨の建物１０内への降り込みを抑制することができる。
【００５５】
また、窓部１１の窓サッシが閉状態であり場合において、屋外気温が１５℃以下である場合にはスラット角度を全閉角度に制御し、屋外気温が１５℃よりも高い場合にはスラット角度を半開角度（４５°）に制御するようにした。これにより、窓部１１から雨が降り込むおそれがない場合において、屋内気温を快適な温度にすることができる。
【００５６】
（第２実施形態）
第２実施形態では、シャッタ装置１２の制御モードとして、通常モード、防災・防犯モードの２つのモードを有している。そして、都度の制御モードに応じたスラット角度制御を実施している。
【００５７】
本実施形態では、第１実施形態の構成に加え、人感センサ及びＩＤセンサを備えている。図１０に示すように、人感センサ３５及びＩＤセンサ３６は、ホームサーバ１６に接続されている。人検知手段としての人感センサ３５は、その検知領域が窓部１１近傍の屋外に設定されるように設置されており、その検知領域内の人を検出する（一点鎖線で示す領域参照）。特定人検知手段としてのＩＤセンサ３６は、その検知領域内に少なくとも人感センサ３５の検知領域が含まれるように設置されており、その検知領域内の人からＩＤを検出する。ここでＩＤとは、建物１０に対応付けられた情報である。ＩＤセンサ３６は、ＩＤ要求信号を無線送信し、このＩＤ要求信号に対する応答信号としてのＩＤを受信する。この場合、建物１０の関係者（居住者、使用者）がＩＤを送信する装置（例えば、電子キー、ＩＣカードなど）を身に付けていることを前提とすれば、建物１０の関係者とＩＤ送信装置を持たない不審者とを判別することができる。なお、図１０においてＩＤセンサ３６をシャッタ装置１２ごとに設置するように図示したが、人感センサ３５の検知領域内の人からＩＤの検出が可能であれば、シャッタ装置１２ごとに設置する必要はない。
【００５８】
次に、各モードにおけるスラット角度制御について概説する。防災・防犯モードのスラット角度制御は、暴風の場合又は窓部１１近傍の屋外に不審者がいる場合に実施される。詳しくは、防災・防犯モードのスラット角度制御は、風速が２５ｍ／ｓ以上である場合、又は人感センサ３５の検知領域内にいる人がＩＤを持っていない場合に実施される。この防災・防犯モードでは、降雨量やその時の気象条件によらず、スラット角度が全閉角度に制御される。一方、通常モードのスラット角度制御は、上述した防災・防犯モードの制御実施条件に該当しない場合に実施される。この通常モードでは、第１実施形態に準じてスラット角度制御が実施される。
【００５９】
図１１は、本実施形態の目標スラット角度算出プログラムの流れを示すフローチャートである。このプログラムは第１実施形態の目標スラット角度算出プログラムに代えてシャッタコントローラ１５により実行される。
【００６０】
図１１において、ステップＳ２０では、シャッタコントローラ１５は、暴風か否かを判定する。詳しくは、ホームサーバ１６から風速を取得し、風速が２５ｍ／ｓ以上であるか否かを判定する。そして、シャッタコントローラ１５は、暴風でない旨を判定した場合にはステップＳ２１の処理を実行し、暴風である旨を判定した場合にはステップＳ２４の処理を実行する。
【００６１】
ステップＳ２１では、シャッタコントローラ１５は、窓部１１近傍の屋外に人がいるか否かを判定する。詳しくは、人感センサ３５の検出信号に基づいて人感センサ３５の検知領域内に人がいるか否かを判定する。そして、シャッタコントローラ１５は、窓部１１近傍の屋外に人がいない旨を判定した場合にはステップＳ２３の処理を実行し、窓部１１近傍の屋外に人がいる旨を判定した場合にはステップＳ２２の処理を実行する。
【００６２】
ステップＳ２２では、シャッタコントローラ１５は、窓部１１近傍の屋外にいる人がＩＤを持っているか否かを判定する。詳しくは、ＩＤセンサ３６によりＩＤ要求信号を送信させ、ＩＤの受信を試みる。そして、シャッタコントローラ１５は、ＩＤセンサ３６によりＩＤを受信した場合には、窓部１１近傍の屋外にいる人がＩＤを持っている旨を判定し、ステップＳ２３の処理を実行する。一方、ＩＤセンサ３６によりＩＤを受信できない場合には、窓部１１近傍の屋外にいる人がＩＤを持っていない旨を判定し、ステップＳ２４の処理を実行する。
【００６３】
ステップＳ２３では、シャッタコントローラ１５は、通常モードの目標スラット角度設定処理により目標スラット角度を設定する。この通常モードの設定処理は、第１実施形態の目標スラット角度設定プログラムの一連の処理に準じて実行される。一方、ステップＳ２４では、シャッタコントローラ１５は、防災・防犯モードの目標スラット角度設定処理により目標スラット角度を全閉角度（０°）に設定する。
【００６４】
この目標スラット角度設定処理によると、暴風の場合又は窓部１１近傍の屋外に不審者がいる場合には、スラット２０が全閉状態になる。
【００６５】
以上の構成により、第１実施形態の効果に加え、以下に示す有利な効果が得られる。
【００６６】
暴風時には、風に巻き上げられた飛散物により窓部１１の窓サッシやガラス板が傷つくおそれがある。これに対し、暴風時には降雨の有無によらずスラット２０を全閉状態にするようにした。これにより、窓部１１の窓サッシやガラス板を飛散物から保護することができる。
【００６７】
また、窓部１１近傍の屋外に不審者がいる場合には、その不審者が窓部１１から建物１０内に侵入するおそれがある。これに対し、窓部１１近傍の屋外に不審者がいる場合には、降雨の有無によらずスラット２０を全閉状態にするようにした。これにより、不審者の建物１０内への侵入を防ぐことができる。
【００６８】
（第３実施形態）
図１２に示すように、窓部１１が設けられた側壁に対して構造物（例えば、屋根３７やシャッタケース１３やベランダなど）が屋外側に張り出している場合には、その窓部１１の屋外側に設けられたシャッタ装置１２のシャッタカーテン１４に吹き付ける雨が構造物により遮られる。その結果、降雨時の風速によっては、シャッタカーテン１４の一部のみに吹き付ける。詳しくは、図１２において、（ａ）に示す微風時にはシャッタカーテン１４の最下部のみに雨が吹き付け、（ｂ）に示す弱風時にはシャッタカーテン１４の最下部のみならずその上側の部分にも雨が吹き付け、（ｃ）に示す強風時にはシャッタカーテン１４の最上部にも雨が降り付ける。
【００６９】
そこで、第３実施形態では、降雨量に基づくスラット角度の制御対象領域を降雨時の風速に応じて変更するようにしている。本実施形態の構成は、シャッタ装置を除き、第１実施形態の対応する構成と実質的に同一である。
【００７０】
図１３に示すシャッタ装置１２は、シャッタカーテン１４の下段領域Ａ１、中段領域Ａ２、上段領域Ａ３の領域に含まれるスラット２０を、領域毎に設定されたスラット角度に制御可能とされた構成を有している。具体的には、シャッタ装置１２は、領域Ａ１〜Ａ３の各領域に含まれるスラット２０と領域毎に係合する３つの開閉ガイド機構２３ａ，２３ｂ，２４ｃを有している。シャッタ装置１２の開閉ガイド機構以外の構成は、第１実施形態の対応する構成と実質的に同一である。
【００７１】
図１４は、降雨時の風速と制御対象領域との関係を示す図である。図１４では、降雨量に基づくスラット角度の制御対象領域Ａrをハッチング枠で示し、屋外気温に基づくスラット角度の制御対象領域Ａtを破線枠で示している。図１４において（ａ），（ｂ），（ｃ）は、それぞれ微風時における制御対象領域、弱風時における制御対象領域、強風時における制御対象領域を示している。
【００７２】
上述したように、微風時にはシャッタカーテン１４の最下部のみに雨が吹き付ける（図１２（ａ）参照）。そこで、微風時には、図１４（ａ）に示すように、下段領域Ａ１を降雨量に基づく制御対象領域Ａrとして設定し、中段領域Ａ２及び上段領域Ａ３を屋外気温に基づく制御対象領域Ａtとして設定する。また、弱風時にはシャッタカーテン１４の下部のみならずその上側にも雨が吹き付ける（図１２（ｂ）参照）。そこで、弱風時には、図１４（ｂ）に示すように、下段領域Ａ１及び中段領域Ａ２を降雨量に基づく制御対象領域Ａrとして設定し、上段領域Ａ３を屋外気温に基づく制御対象領域Ａtとして設定する。また、強風時にはシャッタカーテン１４の最上部にも雨が吹き付ける（図１２（ｃ）参照）。そこで、強風時には、図１４（ｃ）に示すように、領域Ａ１〜Ａ３、すなわちシャッタカーテン１４の全域を降雨量に基づく制御対象領域Ａrとして設定する。そして、制御対象領域Ａrに含まれるスラット２０のスラット角度を降雨量に基づいて制御し、制御対象領域Ａtに含まれるスラット２０のスラット角度を屋外気温に基づいて制御する。
【００７３】
図１５は、本実施形態の目標スラット角度設定プログラムの流れを示すフローチャートである。このプログラムは第１実施形態の目標スラット角度設定プログラムに代えてシャッタコントローラ１５により実行される。
【００７４】
図１５において、まずステップＳ３０では、シャッタコントローラ１５は、風速に基づいて、降雨量に基づくスラット角度の制御対象領域Ａrと、屋外気温に基づくスラット角度の制御対象領域Ａtとを設定する。次に、ステップＳ３１では、降雨量に基づく制御対象領域に含まれるスラット２０の目標スラット角度を設定する。この設定処理は、第１実施形態の目標スラット角度設定プラグラム（図８参照）に準ずる。次に、ステップＳ３２では、屋外気温に基づく制御対象領域に含まれるスラット２０の目標スラット角度設定を設定する。この設定処理は、第１実施形態の目標スラット角度設定プログラムのステップＳ１７及び１８の処理（図８参照）に準ずる。
【００７５】
この目標スラット角度設定プログラムによって実施されるスラット角度制御処理によると、降雨量に基づく制御対象領域に含まれるスラット２０が第１実施形態のスラット角度制御処理と同様に制御される。一方、屋外気温に基づく制御対象領域に含まれるスラット２０が降雨量によらず屋外温度に基づいて制御される。
【００７６】
以上の構成により、第１実施形態の効果に加え、以下に示す有利な効果が得られる。
【００７７】
シャッタカーテン１４の雨が吹き付ける領域を降雨量に基づく制御対象領域として設定し、シャッタカーテン１４の雨が吹き付けない領域を屋外気温に基づくスラット角度の制御対象領域とした。これにより、屋外気温に基づく制御対象領域に含まれるスラット２０の制御により屋内気温を快適な温度に維持しつつ、降雨量に基づく制御対象領域に含まれるスラット２０の制御により雨の降り込みを抑制することができる。
【００７８】
（第４実施形態）
第４実施形態では、図１６に示すようにシャッタカーテン１４よりも屋内側かつ窓部１１の窓サッシよりも屋外側に雨検知手段としての雨滴センサ３８が設置されている。具体的には、シャッタ装置１２の下枠１２ａのシャッタカーテン１４よりも屋内側の部分に取り付けられている。この雨滴センサ３８はシャッタコントローラ１５に接続されており、雨滴量を示す検出信号を出力する。シャッタコントローラ１５は、第１実施形態の目標スラット角度算出処理と同様にして設定された目標スラット角度を、雨滴センサ３８の検出信号に基づいて補正する。その他の構成は、第１実施形態の対応する構成と実質的に同一である。
【００７９】
図１７は、本実施形態の目標スラット角度補正プログラムの流れを示すフローチャートである。このプログラムは、シャッタコントローラ１５により所定のタイミングで逐次実行される。
【００８０】
図１７において、まずステップＳ４０では、シャッタコントローラ１５は、雨滴センサ３８の検出信号に基づいて、シャッタカーテン１４より屋内側に降り込んだ雨滴量を算出する。続くステップＳ４１では、シャッタコントローラ１５は、算出した雨滴量が所定量以上か否かを判定する。そして、雨滴量が所定量より少ない旨を判定した場合には今回のプログラムの実行を終了し、雨滴量が所定量以上である旨を判定した場合にはステップＳ４２の処理を実行する。
【００８１】
ステップＳ４２では、第１実施形態の目標スラット角度設定処理により設定された目標スラット角度を閉側に補正する。詳しくは、目標スラット角度を所定角度（例えば１°）減補正する。そして、今回のプログラムの実行を終了する。
【００８２】
この目標スラット角度補正処理によると、シャッタカーテン１４よりも屋内側に設置した雨滴センサ３８によって所定量以上の雨滴が検出されている限り、目標スラット角度が閉側に補正される。
【００８３】
以上の構成により、以下に示す有利な効果が得られる。
【００８４】
降雨量や降雨時の気象条件に基づいて予め設定されたスラット角度に制御したとしても、雨の建物１０内への降り込みを十分に抑制することができないことがある。これに対し、シャッタカーテン１４よりも屋内側に設置した雨滴センサ３８によって所定量以上の雨滴が検出されると、目標スラット角度を減補正するようにした。これにより、シャッタカーテン１４よりも屋内側に雨が降り込まなくなるまで、スラット角度が閉側に制御される。このようにして、雨の建物１０内への降り込みを確実に抑制することができる。
【００８５】
また、雨滴センサ３８は、シャッタ装置１２の下枠１２ａに取り付けた。ここで、雨が窓部１１から建物１０内に降り込むような場合においても、シャッタカーテン１４の最下部以外の部分には雨が吹き付けない場合がある（図１２参照）。この点、窓部１１の最下部には雨が必ず吹き付ける。したがって、上述の如く雨滴センサ３８をシャッタ装置１２の下枠１２ａに取り付けて、シャッタカーテン１４の最下部から降り込んだ雨滴を検出することにより、雨がシャッタカーテン１４よりも屋内側に降り込んでいることを確実に検出することができる。
【００８６】
（他の実施形態）
なお、以上説明した実施の形態に限らず、例えば以下に別例として示した形態で実施することもできる。
【００８７】
・上記各実施形態では、スラット角度のベース値に補正係数を掛け合わせることにより目標スラット角度を算出するようにした。しかしながら、降雨量、受風角度、風速、屋外気温などのパラメータと目標スラット角度とを対応付けるマップを記憶しておき、このマップを用いて上記パラメータから目標スラット角度を算出するようにしてもよい。また、降雨量、受風角度、風速、屋外気温などの変数とする目標スラット角度の関数を記憶しておき、この関数を用いて目標スラット角度を算出するようにしてもよい。
【００８８】
・上記各実施形態では、窓部１１の窓サッシが開状態である場合には、降雨量、風向、風速をパラメータとしてスラット角度を制御したが、このパラメータとして風向や風速を含めなくてもよい。これによりシステムの構成を簡素化することができる。また、このパラメータとして降雨量、風向、風速以外の気象条件（例えば、気温や日照量）を含めてもよい。これにより屋内環境を良好に保つことができる。
【００８９】
・上記各実施形態では、窓部１１の窓サッシが閉状態である場合には、屋外気温をパラメータとしてスラット角度を制御したが、このパラメータは、例えば屋内気温や日照量でもよい。また、このパラメータには、屋内気温や日照量などの気象条件を含めてもよい。このように窓部１１の窓サッシが閉状態である場合、すなわち建物１０内に雨が降り込むおそれがない場合には、上述の如く様々なパラメータでスラット角度を制御することにより、屋内環境を良好に保つことができる。
【００９０】
・上記各実施形態では、降雨量などの実測値をスラット角度制御のパラメータとしたが、降雨量などの予想値や降水確率をスラット角度制御のパラメータに含めてもよい。これにより、雨が実際に降り出す前に予防的にスラット角度を制御することで、雨の建物１０内への降り込みを抑制することができる。また、これらの実測値、予想値、降水確率を、公衆回線や専用回線（例えば、インターネットなど）を介して建物１０外のサーバから取得するようにしてもよい。
【００９１】
・上記各実施形態では、シャッタ装置１２のスラット角度を制御したが、シャッタカーテン１４の昇降を制御することにより、雨の建物１０内への降り込みを抑制してもよい。また、シャッタ装置１２において各スラット間の隙間寸法を所定範囲（例えば０〜数１０mm）で調整可能とする構成を付加し、その隙間寸法を降雨量などに基づいて制御してもよい。
【００９２】
・上記各実施形態では、ホームサーバ１６から降雨量などを取得したが、シャッタコントローラ１５に各種センサを接続し、シャッタコントローラ１５においてこれらの検出信号から降雨量などを算出するようにしてもよい。
【００９３】
・上記各実施形態では、雨量センサ１８を屋根３７に設置したが、降雨量を測定する小型のセンサをシャッタ装置１２のシャッタカーテン１４よりも屋外側に設置してもよい。また、施解錠センサ１９の検出信号により窓部１１の窓サッシの開閉を判定したが、窓サッシの可動部（窓サッシの開閉時に移動する部分）の位置を検出するセンサを設け、このセンサの検出信号により窓部１１の窓サッシの開閉を判定するようにしてもよい。
【００９４】
・上記第１〜第３実施形態では、スラット角度を降雨時の気象条件に応じて多段階に制御したが、降雨の有無に応じてスラット角度を全開又は全閉の２段階に制御してもよい。
【００９５】
・上記第２実施形態では、通常モード、防災・防犯モードの２つのモードに応じたスラット角度制御を実施するようにした。しかしながら、通常モードと防災モードと防犯モードの３つのモードに応じたスラット角度制御を実施するようにしてもよい。すなわち、防災モードと防犯モードとで異なるスラット角度制御を実施するようにしてもよい。また、通常モードと防災モードの２つのモードに応じたスラット角度制御を実施してもよいし、通常モードと防犯モードの２つのモードに応じたスラット角度制御を実施してもよい。
【００９６】
・上記第３実施形態では、シャッタカーテン１４において３つの領域Ａ１〜Ａ３の各領域に含まれるスラット２０が領域毎に角度調整可能とした。この点につき、このような領域を２つ又は４つ以上設定可能な電動シャッタ装置、又は各スラット２０を個別に角度調整可能な電動シャッタ装置にも適用することもできる。
【００９７】
・上記第４実施形態では、目標スラット角度の補正量を一定量（１°）としたが、この補正量を雨滴センサ３８により検出された雨滴量に基づいて設定するようにしてもよい。例えば、上記雨滴量が所定値よりも少ない場合には目標スラット角度を１°閉側に補正し、上記雨滴量が所定値以上である場合には目標スラット角度を５°閉側に補正するようにしてもよい。
【００９８】
・上記第４実施形態では、第１実施形態の目標スラット角度を閉側に補正するようにしたが、第２及び第３実施形態の目標スラット角度を閉側に補正するようにしてもよい。また、降雨量などに基づいて算出した目標スラット角度を補正するのではなく、スラット角度のベース値を補正するようにしてもよい。この場合、雨滴センサ３８により検出された雨滴量に基づいて目標スラット角度を開側に補正するようにするとよい。詳しくは、雨滴センサ３８により雨滴が検出されず所定期間が経過した場合には、上記ベース値を所定角度だけ開側に補正するとよい。
【図面の簡単な説明】
【００９９】
【図１】シャッタ装置を設けた建物の概要構成を示す図。
【図２】シャッタ装置の構成を示す図。
【図３】スラット角度調整の形態を示す図。
【図４】シャッタ制御システムの構成を示すブロック図。
【図５】風向と降雨態様との関係を示す図。
【図６】シャッタカーテンの受風角度を示す図。
【図７】風速と降雨態様との関係を示す図。
【図８】目標スラット角度算出プログラムのフローチャート。
【図９】補正係数設定用のマップを示す図。
【図１０】第２実施形態の構成を示す図。
【図１１】第２実施形態の目標スラット角度設定プログラムのフローチャート。
【図１２】風速と降雨態様との関係を示す図。
【図１３】第３実施形態のシャッタ装置を示す図。
【図１４】風速に応じた制御対象領域を示す図。
【図１５】第３実施形態の目標スラット角度設定プログラムのフローチャート。
【図１６】第４実施形態の構成を示す図。
【図１７】第４実施形態の目標スラット角度補正プログラムのフローチャート。
【符号の説明】
【０１００】
１０…建物、１１…窓部（開口部）、１２…シャッタ装置、１４…シャッタカーテン、１５…シャッタコントローラ（制御手段、降雨情報取得手段、風速情報制御手段、風向情報取得手段、開閉情報取得手段）、１６…ホームサーバ、１７…風情報検出装置、１９…施解錠センサ、２０…スラット、３０…風向センサ、３１…風速センサ、３５…人感センサ（人検知手段）、３６…ＩＤセンサ（特定人検知手段）、３７…屋根、３８…雨滴センサ（雨検知手段）。
【図１】
2008280737.tif 000003
【図２】
2008280737.tif 000004
【図３】
2008280737.tif 000005
【図４】
2008280737.tif 000006
【図５】
2008280737.tif 000007
【図６】
2008280737.tif 000008
【図７】
2008280737.tif 000009
【図８】
2008280737.tif 000010
【図９】
2008280737.tif 000011
【図１０】
2008280737.tif 000012
【図１１】
2008280737.tif 000013
【図１２】
2008280737.tif 000014
【図１３】
2008280737.tif 000015
【図１４】
2008280737.tif 000016
【図１５】
2008280737.tif 000017
【図１６】
2008280737.tif 000018
【図１７】
2008280737.tif 000019